(57)【要約】【課題】  ＩＰ回線を用いてデジタル放送信号を転送して放送信号をスムーズに再送信できるデジタル放送信号再送信装置を提供すること。【解決手段】  受信装置１はデジタル放送信号を受信してＩＰ回線を介してＭＰＥＧ２−ＴＳパケットをＯＦＤＭ変調装置２に転送する。そして、転送された放送信号を再送信するために、装置２を、ＴＳパケットを格納するＴＳバッファー回路２００と、ＴＳパケットのＰＣＲに基づいて転送レートを計算する転送レート計算手段２０１と、この転送レートに基づいてＴＳバッファー回路２００の再生レートクロック周波数を生成する周波数生成回路２０２とを備えて構成した。また、装置２が、ＰＣＲを抽出するＰＣＲ抽出回路２０４と、ＳＴＣカウンタ２０５と、２７ＭＨｚ発信器２０６と、再生レートクロック周波数のエラーを検出するエラー検出回路２０７とを備えるようにした。【選択図】  図２
2008244704.tif 000002
【特許請求の範囲】
【請求項１】
デジタル放送信号を表すトランスポートパケットを用いて所定のブロック単位に形成されたトランスポートストリームをＩＰ回線を介して取得し、同取得したトランスポートストリームを直交周波数分割多重変調して再びデジタル放送信号として送出する直交周波数分割多重変調手段を備えたデジタル放送信号再送信装置であって、
前記取得した所定のブロック単位のトランスポートストリームを一時的に格納するバッファー手段と、
前記取得したトランスポートストリームに所定の間隔で挿入される特定情報を抽出する特定情報抽出手段と、
前記抽出された特定情報を用いて、前記一時的に格納された前記トランスポートストリームの再生レートクロック周波数を生成する再生レートクロック周波数生成手段と、
前記抽出された特定情報を用いて、前記生成された再生レートクロック周波数を補正する再生レートクロック周波数補正手段とを備えたことを特徴とするデジタル放送信号再送信装置。
【請求項２】
請求項１に記載したデジタル放送信号再送信装置において、
前記バッファー手段に一時的に格納されたトランスポートストリームは、同トランスポートストリームの入力順に格納して出力するＴＳ＿ＦＩＦＯに対して送出され、
前記再生レートクロック周波数生成手段は、
前記ＴＳ＿ＦＩＦＯが格納した前記トランスポートストリームを順次送出するための再生レートクロック周波数を生成することを特徴とするデジタル放送信号再送信装置。
【請求項３】
請求項１に記載したデジタル放送信号再送信装置において、
さらに、予め設定された基準クロック周波数で発振する基準クロック周波数発生手段を備えて、
前記再生レートクロック周波数補正手段は、
前記抽出された特定情報と、前記基準クロック周波数とに基づいて、前記生成された再生レートクロック周波数を補正することを特徴とするデジタル放送信号再送信装置。
【請求項４】
請求項１に記載したデジタル放送信号再送信装置において、
さらに、前記バッファー手段に一時的に格納されるトランスポートストリームのデータ量の増減を所定の基準データ量と比較して検出する格納データ量増減検出手段を備えて、
前記再生レートクロック周波数補正手段は、
前記格納データ量増減検出手段によって前記バッファー手段に一時的に格納されるデータ量の増大が検出されたときに前記生成された再生レートクロック周波数を増加させて補正し、前記格納データ量増減検出手段によって前記バッファー手段に一時的に格納されるデータ量の減少が検出されたときに前記生成された再生レートクロック周波数を減少させて補正することを特徴とするデジタル放送信号再送信装置。
【請求項５】
前記特定情報は、
前記トランスポートストリームを一時的に格納するときのバッファー量を調整するために挿入されるプログラムクロックリファレンス（ＰＣＲ）である請求項１に記載したデジタル放送信号再送信装置。
【請求項６】
請求項５に記載したデジタル放送信号再送信装置において、
前記再生レートクロック周波数生成手段は、
前記トランスポートストリームに含まれるプログラムクロックリファレンス（ＰＣＲ）間に存在するバイト数に基づいて、前記再生レートクロックを生成することを特徴とするデジタル放送信号再送信装置。
【請求項７】
請求項１に記載したデジタル放送信号再送信装置において、
前記バッファー手段に一時的に格納された前記トランスポートストリームに含まれる属性情報に基づいて、前記格納されたトランスポートストリームを形成するトランスポートパケットが前記デジタル放送信号を形成する１３セグメントのうちの１のセグメントに関する１セグメントパケット、または、前記１３セグメントのうちの１２のセグメントに関する１２セグメントパケットであるかを解析するパケット解析手段と、
前記パケット解析手段による解析に基づき、前記バッファー手段から送出される前記トランスポートストリームを形成するトランスポートパケットを前記１セグメントパケットと前記１２セグメントパケットとに階層として分離するパケット分離手段と、
前記パケット分離手段によって分離された前記１セグメントパケットおよび前記１２セグメントパケットを、それぞれ、入力順に格納して出力する１セグメントパケットＦＩＦＯおよび１２セグメントパケットＦＩＦＯとを備え、
前記直交周波数分割多重変調手段は、
前記１セグメントパケットＦＩＦＯおよび前記１２セグメントパケットＦＩＦＯから前記１セグメントパケットおよび前記１２セグメントパケットを所定のクロック周波数により取得するとともに直交周波数分割多重変調して再びデジタル放送信号として送出することを特徴とするデジタル放送信号再送信装置。
【請求項８】
請求項７に記載したデジタル放送信号再送信装置において、
前記パケット解析手段による前記属性情報の解析に基づき、前記パケット分離手段が前記１セグメントパケットを分離するために利用するテーブルを生成するテーブル生成手段を備えたことを特徴とするデジタル放送信号再送信装置。
【請求項９】
前記属性情報は、前記バッファー手段に一時的に格納された前記トランスポートストリームに含まれて、同トランスポートストリームの再生に関連するプログラムの一覧を表すプログラムアソシエーションテーブル（ＰＡＴ）および前記プログラムに対応する画像および音声の識別を表すプログラムマップテーブル（ＰＭＴ）を含む情報である請求項７または請求項８に記載したデジタル放送信号再送信装置。
【発明の詳細な説明】
【技術分野】
【０００１】
本発明は、デジタル放送信号再送信装置に係り、特に、ＩＰ回線を介して取得したデジタル放送信号を表すデータを取得し、同取得したデータを再びデジタル放送信号として再送信するデジタル放送信号再送信装置に関する。
【背景技術】
【０００２】
日本国内におけるテレビジョン放送は、従来の地上アナログテレビジョン放送から地上デジタルテレビジョン放送に移行される。日本国内にて放送される地上デジタルテレビジョン放送の方式は、ＩＳＤＢ−Ｔ(Integrated Services Digital Broadcasting for Terrestrial)方式と呼ばれ、変調方式としてＯＦＤＭ(Orthogonal Frequency Division Multiplexing：直交周波数分割多重)方式が採用される。この地上デジタルテレビジョン放送においては、送信データを１３のセグメントに分割して放送する。そして、一般的に、家庭などに固定されるテレビは、この１３セグメントを一括して受信し、ユーザによって携帯される携帯端末装置（携帯電話機など）は、この１３セグメントのうちの１セグメントのみ（所謂、ワンセグ）を受信するようになっている。
【０００３】
ところで、このような地上デジタルテレビジョン放送においても、従来の地上アナログテレビジョン放送と同様に、難視聴地域が存在することが予想される。したがって、このような難視聴地域を如何に無くすか、言い換えれば、難視聴地域に対して如何に地上デジタルテレビジョン放送信号を送信するかについて、従来から種々の提案がなされている。
【０００４】
その一つとして、広い地域に対して地上デジタルテレビジョン放送を提供するために、従来の地上アナログテレビジョン放送と同様に、送信所から送信された地上デジタルテレビジョン放送信号を複数の中継局によって中継することが検討され実際に行われている。ところが、地上デジタルテレビジョン放送信号を中継する際には、各中継局は放送局の基準クロック周波数（２７ＭＨｚ）との同期化を行う必要がある。すなわち、地上デジタルテレビジョン放送においては、上述したように、変調方式としてＯＦＤＭ方式が採用されるため、ＯＦＤＭ用サンプリングクロック周波数を（再）送信する地上デジタルテレビジョン放送信号のクロック周波数に同期させる必要がある。この場合、ＯＦＤＭ用サンプリングクロック周波数と地上デジタルテレビジョン放送信号の基準クロック周波数とがずれると、（再）送信する放送信号のクロック周波数にずれが生じることになり、受信装置（テレビや携帯端末装置など）による受信が困難となる場合がある。
【０００５】
これに対し、例えば、下記特許文献１に示すようなＯＦＤＭ送信装置は知られている。この従来のＯＦＤＭ送信装置は、地上デジタルテレビジョン放送システムの中継装置に適用され、この中継装置に設けられたＧＰＳアンテナによって受信したＧＰＳ信号からルビジウム発信器を利用してクロック信号を抽出して放送局と同期した基準クロック信号を生成し、この生成した基準クロック信号を用いてクロック周波数差を監視するクロック周波数監視装置を備えている。すなわち、この従来のＯＦＤＭ送信装置におけるクロック周波数監視装置は、ＯＦＤＭ変調器による変調クロック信号と生成した基準クロック信号とを比較して、そのクロック周波数差が許容範囲にあるか否かを監視するようになっている。
【特許文献１】特開２００６−２７９５８３号公報
【発明の開示】
【０００６】
ところで、上記従来のＯＦＤＭ送信装置においては、ルビジウム発信器を用いてＧＰＳ信号から基準クロック信号を生成できるため、例えば、複数の中継装置間で地上デジタルテレビジョン放送信号が中継される場合には、各中継装置における基準クロック信号を完全に一致させることができる。これにより、ＯＦＤＭ用サンプリング周波数と地上デジタルテレビジョン放送信号の基準クロック周波数との間におけるずれを完全に無くすことができる。しかしながら、各中継装置にＧＰＳアンテナおよびルビジウム発信器を設けることは極めて大きなコスト負担を強いる。また、ＧＰＳ信号を用いるため、各中継装置が衛星からＧＰＳ信号を良好に受信できる設置場所が必要となる。このため、高品質の地上デジタルテレビジョンを送信するための設備コストを低減して、難視聴地域をなくすことが熱望されている。
【０００７】
この点に関し、地上デジタルテレビジョン放送信号を表すデータをＩＰ(Internet Protocol)回線を利用して難視聴地域まで転送し、この転送された地上デジタルテレビジョン放送信号を難視聴地域内でＯＦＤＭ方式によって再送信することが検討されている。これにより、既存のＩＰ回線を利用することにより、中継局が不要となるため、高品質の地上デジタルテレビジョンを放送するための設備コストを低減することができる。しかしながら、放送局から送信された地上デジタルテレビジョン放送信号をＩＰ回線を介して転送する場合には、同放送信号がＩＰパケット化されて転送されるため、例えば、受信装置がＲＦ信号として地上デジタルテレビジョン放送信号を受信することによって利用できたような参照クロックが存在しなくなる。
【０００８】
したがって、このようにＩＰ回線を利用して地上デジタルテレビジョン放送を再送信する場合においては、送信された（または受信された）地上デジタルテレビジョン放送信号の基準クロック周波数と再送信する地上デジタルテレビジョン放送信号の基準クロック周波数を合わせることが難しくなる。これにより、再送信処理に時間を要し、例えば、ＩＰ回線を介して転送された地上デジタルテレビジョン放送信号を表すデータが再送信される前に滞る場合があり、スムーズに再送信できない可能性がある。したがって、地上デジタルテレビジョン放送信号をスムーズに再送信できることが望まれる。
【０００９】
本発明は、上記した課題を解決するためになされたものであり、その目的は、ＩＰ回線を用いてデジタル放送信号を表すデータを転送し、同転送されたデータをスムーズにデジタル放送信号として再送信できるデジタル放送信号再送信装置を提供することにある。
【００１０】
本発明の特徴は、デジタル放送信号を表すトランスポートパケットを用いて所定のブロック単位に形成されたトランスポートストリームをＩＰ回線を介して取得し、同取得したトランスポートストリームを直交周波数分割多重変調して再びデジタル放送信号として送出する直交周波数分割多重変調手段を備えたデジタル放送信号再送信装置であって、前記取得した所定のブロック単位のトランスポートストリームを一時的に格納するバッファー手段と、前記取得したトランスポートストリームに所定の間隔で挿入される特定情報を抽出する特定情報抽出手段と、前記抽出された特定情報を用いて、前記一時的に格納された前記トランスポートストリームの再生レートクロック周波数を生成する再生レートクロック周波数生成手段と、前記抽出された特定情報を用いて、前記生成された再生レートクロック周波数を補正する再生レートクロック周波数補正手段とを備えたことにある。
【００１１】
この場合、前記バッファー手段に一時的に格納されたトランスポートストリームは、同トランスポートストリームの入力順に格納して出力するＴＳ＿ＦＩＦＯに対して送出され、前記再生レートクロック周波数生成手段は、前記ＴＳ＿ＦＩＦＯが格納した前記トランスポートストリームを順次送出するための再生レートクロック周波数を生成するとよい。
【００１２】
また、この場合、前記特定情報は、例えば、前記トランスポートストリームを一時的に格納するときのバッファー量を調整するために挿入されるプログラムクロックリファレンス（ＰＣＲ）であるとよい。
【００１３】
そして、この場合、前記再生レートクロック周波数生成手段は、前記トランスポートストリームに含まれるプログラムクロックリファレンス（ＰＣＲ）間に存在するバイト数に基づいて、前記再生レートクロックを生成するとよい。
【００１４】
これらによれば、ＩＰ回線（例えば、インターネット回線）を介してデジタル放送信号のトランスポートストリームを所定のブロック単位として転送し、この転送されたトランスポートストリームをバッファー手段に一時的に格納することができる。そして、格納したトランスポートストリームに含まれる特定情報、より具体的には、プログラムクロックリファレンス（ＰＣＲ）を用いて、バッファー手段に格納したトランスポートストリームを送出する再生レートクロック周波数を生成することができる。これにより、バッファー手段からトランスポートストリームをスムーズに送出することができ、バッファー手段に格納するトランスポートストリームのバッファー量を適切に維持することができる。したがって、デジタル放送信号をスムーズに再送信することができる。
【００１５】
また、ＴＳ＿ＦＩＦＯを設けることにより、バッファー手段のバッファー量をより適切に維持することができる。すなわち、再生レートクロック周波数生成手段がＴＳ＿ＦＩＦＯから送出されるトランスポートストリームの再生レートクロック周波数を生成することにより、ＴＳ＿ＦＩＦＯに格納されるトランスポートストリームすなわちデータ量を適切に維持できる。その結果、バッファー手段からＴＳ＿ＦＩＦＯへのトランスポートストリームの送出をスムーズに行うことができて、デジタル放送信号をスムーズに再送信することができる。
【００１６】
また、再生レートクロック周波数生成手段が、プログラムクロックリファレンス（ＰＣＲ）間に存在するトランスポートストリームのバイト数に基づいて再生レートクロック周波数を生成することにより、放送局における基準クロック周波数に基づく再生レートクロック周波数と同等の再生レートクロック周波数を生成することができる。これにより、バッファー手段（またはＴＳ＿ＦＩＦＯ）から送出されるトランスポートストリームの再生レートクロック周波数を放送局における再生レートクロック周波数に合わせることができ、デジタル放送信号をスムーズに再送信することができる。
【００１７】
さらに、生成した再生レートクロック周波数を、特定情報（ＰＣＲ）を用いて補正することもできる。これにより、適切な再生レートクロック周波数を常に維持することができ、スムーズなデジタル放送信号の再送信を維持することができる。
【００１８】
また、本発明の他の特徴は、デジタル放送信号再送信装置が、さらに、予め設定された基準クロック周波数で発振する基準クロック周波数発生手段を備えて、前記再生レートクロック周波数補正手段は、前記抽出された特定情報と、前記基準クロック周波数とに基づいて、前記生成された再生レートクロック周波数を補正することにもある。
【００１９】
これによれば、別途、例えばルビジウムなどを用いた高価な発振装置などを設けることなく、安価に再生レートクロック周波数を補正することができる。したがって、バッファー手段（あるいは、ＴＳ＿ＦＩＦＯ）が一時的に格納するデータ量を適切に維持できるとともに、例えば、難視聴地域において、安価にデジタル放送信号を再送信することができる。
【００２０】
また、本発明の他の特徴は、デジタル放送信号再送信装置が、さらに、前記バッファー手段に一時的に格納されるトランスポートストリームのデータ量の増減を所定の基準データ量と比較して検出する格納データ量増減検出手段を備えて、前記再生レートクロック周波数補正手段は、前記格納データ量増減検出手段によって前記バッファー手段に一時的に格納されるデータ量の増大が検出されたときに前記生成された再生レートクロック周波数を増加させて補正し、前記格納データ量増減検出手段によって前記バッファー手段に一時的に格納されるデータ量の減少が検出されたときに前記生成された再生レートクロック周波数を減少させて補正することにもある。
【００２１】
これによれば、バッファー手段に一時的に格納されるデータ量の増減を検出（監視）することによって、長周期で発生する可能性のある再生レートクロック周波数の誤差（ずれ）を補正することができる。すなわち、特定情報と基準クロック周波数とに基づけば、短期的な再生レートクロック周波数の補正は行える。しかし、例えば、基準クロック周波数発生手段が微小な発振誤差を有している場合には、この微小な発振誤差が長期的に累積すると、再生レートクロック周波数にエラーが発生し、バッファー手段のバッファー量を適切に維持することが難しくなる可能性がある。
【００２２】
これに対して、バッファー手段に一時的に格納されるデータ量の増減を検出（監視）し、格納されるデータ量を適切に維持するように再生レートクロック周波数を補正することにより、長周期で発生する可能性のある再生レートクロック周波数の誤差（ずれ）の発生を防止し、再生レートクロック周波数を適切に補正することができる。
【００２３】
また、本発明の他の特徴は、前記バッファー手段に一時的に格納された前記トランスポートストリームに含まれる属性情報に基づいて、前記格納されたトランスポートストリームを形成するトランスポートパケットが前記デジタル放送信号を形成する１３セグメントのうちの１のセグメントに関する１セグメントパケット、または、前記１３セグメントのうちの１２のセグメントに関する１２セグメントパケットであるかを解析するパケット解析手段と、前記パケット解析手段による解析に基づき、前記バッファー手段から送出される前記トランスポートストリームを形成するトランスポートパケットを前記１セグメントパケットと前記１２セグメントパケットとに階層として分離するパケット分離手段と、前記パケット分離手段によって分離された前記１セグメントパケットおよび前記１２セグメントパケットを、それぞれ、入力順に格納して出力する１セグメントパケットＦＩＦＯおよび１２セグメントパケットＦＩＦＯとを備え、前記直交周波数分割多重変調手段は、前記１セグメントパケットＦＩＦＯおよび前記１２セグメントパケットＦＩＦＯから前記１セグメントパケットおよび前記１２セグメントパケットを所定のクロック周波数により取得するとともに直交周波数分割多重変調して再びデジタル放送信号として送出することにもある。
【００２４】
この場合、デジタル放送信号再送信装置が、前記パケット解析手段による前記属性情報の解析に基づき、前記パケット分離手段が前記１セグメントパケットを分離するために利用するテーブルを生成するテーブル生成手段を備えるとよい。
【００２５】
また、これらの場合、前記属性情報は、例えば、前記バッファー手段に一時的に格納された前記トランスポートストリームに含まれて、同トランスポートストリームの再生に関連するプログラムの一覧を表すプログラムアソシエーションテーブル（ＰＡＴ）および前記プログラムに対応する画像および音声の識別を表すプログラムマップテーブル（ＰＭＴ）を含む情報であるとよい。
【００２６】
これらによれば、ＩＰ回線を介して転送されたデジタル放送信号、より詳しくは、所定のブロック単位として送信されたトランスポートストリームを、１＋１２セグメントのデジタル放送信号として再送信することができる。この場合、バッファー手段に格納されたトランスポートストリームに含まれるプログラムアソシエーションテーブル（ＰＡＴ）およびプログラムマップテーブル（ＰＭＴ）を解析し、この解析に基づいて１セグメントパケットを分離するテーブルを生成しておくことにより、このテーブルに基づいてトランスポートストリームを形成するトランスポートパケットを１セグメントパケットと１２セグメントパケットとに階層として速やかに（リアルタイムで）分離することができる。
【００２７】
これにより、再生レートクロック周波数によりバッファー手段（あるいは、ＴＳ＿ＦＩＦＯ）からトランスポートストリームをスムーズに送出することができるとともに、階層として分離した１セグメントパケットと１２セグメントパケットとを直交周波数分割多重変調してスムーズに１＋１２セグメントのデジタル放送信号として再送信することができる。
【発明を実施するための最良の形態】
【００２８】
以下、本発明の実施形態を図面を用いて説明する。図１は、本実施形態に係り、地上デジタルテレビジョン放送信号を再送信するデジタル放送信号再送信装置Ｓの構成を概略的に示している。デジタル放送信号再送信装置Ｓは、放送局Ｈから送信アンテナＡを介して送信された地上デジタルテレビジョン放送信号を受信する受信装置１と、この受信装置１とインターネット回線（ＩＰ回線）を介して接続されたＯＦＤＭ変調装置２とを備えている。
【００２９】
ここで、送信アンテナＡから送信される地上デジタルテレビジョン放送信号について簡単に説明しておく。放送局Ｈにおいては、基準クロック周波数（例えば、２７ＭＨｚ）により映像データおよび音声データを符号化して圧縮し、それぞれ、所定のデータ単位ごとに、映像エレメンタリストリームと音声エレメンタリストリームを生成する。そして、これら映像エレメンタリストリームと音声エレメンタリストリームに対して、それぞれ、属性を表すストリームＩＤや再生時間情報などを付加してトランスポートパケットにパケット化する。このようにパケット化されたトランスポートパケットは、ＯＦＤＭ変調することにより、地上デジタルテレビジョン放送信号として、送信アンテナＡから送信される。ここで、放送局Ｈは、トランスポートパケットの送信にあたり、映像および音声のトランスポートパケットが連続したトランスポートストリームに対する受信側でのバッファー量を調整するためにプログラムクロックリファレンス（ＰＣＲ）パケットを所定の時間間隔で挿入して、トランスポートパケットを送信する。
【００３０】
受信装置１は、例えば、地上デジタルテレビジョン放送信号を良好に受信できる地域に設置されて、送信アンテナＡから送信された地上デジタルテレビジョン放送信号すなわちＯＦＤＭ変調されたトランスポートパケットを受信し、同受信したトランスポートパケットを周知の方法により復調する。そして、受信装置１は、復調したトランスポートパケットが連続したトランスポートストリームを所定のブロック単位（例えば、１８８バイトの倍数など）としてインターネット回線に送出する。ここで、受信装置１は、一定の時間間隔でＰＣＲパケットが挿入されたトランスポートストリームを出力する。
【００３１】
ＯＦＤＭ変調装置２においては、図２に示すように、ＴＳバッファー回路２００が、インターネット回線を介して転送されたトランスポートストリームを取り込んで一時的に格納する。そして、転送レート計算回路２０１は、ＴＳバッファー回路２００に格納されたトランスポートストリームを形成するトランスポートパケットを参照し、トランスポートストリームに含まれる２つＰＣＲパケットを用いて、トランスポートストリームパケットの転送レートを計算する。
【００３２】
すなわち、転送レート計算回路２０１は、トランスポートストリームに含まれる２つのＰＣＲパケット間に存在するバイト数に基づいて転送レートを計算する。ここで、ＰＣＲパケットは、上述したように、放送局Ｈにて所定の時間間隔で挿入される。このため、これら２つのＰＣＲパケット間のバイト数を用いることにより、放送局Ｈにおける転送レートと同等の転送レートを計算することができる。そして、転送レート計算回路２０１は、計算した転送レートを周波数生成回路２０２に供給する。周波数生成回路２０２は、自身の基準動作クロック周波数と供給された転送レートとに基づいてバイトクロック周波数を生成し、この生成したバイトクロック周波数をトランスポートストリームの再生レートクロック周波数として設定する。
【００３３】
また、ＴＳバッファー回路２００に一時的に格納されたトランスポートパケットのデータは、ＴＳ＿ＦＩＦＯ回路２０３に順次供給される。ＴＳ＿ＦＩＦＯ回路２０３は、ＴＳバッファー回路２００からトランスポートストリームパケットのデータをバイト列で順次入力し、同入力したデータをバイト列で順次送出するＦＩＦＯ(First In First Out)回路である。そして、ＴＳ＿ＦＩＦＯ回路２０３は、周波数生成回路２０２が設定した再生レートクロック周波数に基づいて、トランスポートストリームパケットのデータを順次バイト列として送出する。これにより、ＴＳ＿ＦＩＦＯ回路２０３から順次送出されるバイト列は、放送局Ｈにおけるバイトクロック周波数と同等のバイトクロック周波数によって順次送出される。
【００３４】
ＴＳ＿ＦＩＦＯ回路２０３から再生レートクロック周波数によって順次送出された各バイト列は、ＰＣＲ抽出回路２０４によって、トランスポートストリームのデータに含まれるＰＣＲパケットに対応するバイト列が抽出されてＳＴＣカウンタ２０５とエラー検出回路２０７に供給される。ＳＴＣカウンタ２０５は、２７ＭＨｚ発信器２０６から供給される２７ＭＨｚのクロック周波数を用いてカウンタ値をインクリメントする。
【００３５】
エラー検出回路２０７は、ＰＣＲ抽出回路２０４から供給されるＰＣＲパケットに対応するバイト列によって表される時間情報を順次格納するとともに、この時間情報と、ＳＴＣカウンタ２０５から供給されるカウンタ値（時間情報）とを比較することにより、周波数生成回路２０２によって設定された再生レートクロック周波数にエラーが発生しているか否かを判定する。以下、これらＰＣＲパケット抽出回路２０４、ＳＴＣカウンタ２０５およびエラー検出回路２０７の作動について説明する。
【００３６】
ＰＣＲ抽出回路２０４は、ＴＳ＿ＦＩＦＯ回路２０３からバイト列の送出開始後、まず、最初のＰＣＲパケットに対応するバイト列を連続的に抽出し、この抽出したバイト列を連続的にＳＴＣカウンタ２０５とエラー検出回路２０７に供給する。この場合、ＳＴＣカウンタ２０５は、この最初のＰＣＲパケットに対応するバイトを順次取得し、ＰＣＲパケットに対応するバイト列の最後のバイトを取得すると、２７ＭＨｚ発信器２０６のクロック周波数を用いてカウンタ値のインクリメントを開始する。一方、エラー検出回路２０７は、最初のＰＣＲパケットに対応するバイト列を取得すると、同バイト列によって表される最初の時間情報を一時的に格納する。
【００３７】
次に、ＰＣＲ抽出回路２０４は、ＴＳ＿ＦＩＦＯ回路２０３から順次送出されるバイト列のうち、次のＰＣＲパケットに対応するバイト列を連続的に抽出すると、この抽出したバイト列を連続的にＳＴＣカウンタ２０５とエラー検出回路２０７に供給する。この場合、ＳＴＣカウンタ２０５においては、ＰＣＲ抽出回路２０４から供給されたＰＣＲパケットに対応するバイト列のうち、最後のバイトを取得した時点におけるカウンタ値をエラー検出回路２０７に供給するとともに、同最後のバイトを取得した時点から２７ＭＨｚ発信器２０６のクロック周波数を用いてふたたびカウンタ値をインクリメントする。
【００３８】
そして、エラー検出回路２０７は、ＳＴＣカウンタ２０５によってインクリメントされたカウンタ値（時間情報）と、ＰＣＲ抽出回路２０４によって抽出された次のＰＣＲパケットに対応するバイト列によって表される時間情報および最初の時間情報から計算される区間時間情報との差分値を算出する。なお、エラー検出回路２０７は、この差分値を算出すると、最初の（前の）ＰＣＲに対応するバイト列によって表される時間情報を次のＰＣＲに対応するバイト列によって表される時間情報に更新して一時的に格納する。そして、エラー検出回路２０７は、算出した差分値が「０」であれば、ＴＳ＿ＦＩＦＯ回路２０３から送出されるトランスポートストリームの再生レートクロック周波数すなわち周波数生成回路２０２が生成したバイトクロック周波数に遅延などのエラーが発生していないと判定する。
【００３９】
一方、エラー検出回路２０７は、算出した差分値が「０」でなければ、ＴＳ＿ＦＩＦＯ回路２０３の再生レートクロック周波数に遅延などのエラーが発生していると判定し、周波数生成回路２０２に対してエラー情報を送出する。これにより、周波数生成回路２０２は、設定した再生レートクロック周波数すなわち生成したバイトクロック周波数を補正する。具体的には、周波数生成回路２０２は、エラー検出回路２０７によって算出された差分値に基づき、生成するバイトクロック周波数を大きくしたり、小さくしたりして、再生レートクロック周波数を補正する。
【００４０】
また、データ量検出回路２０８は、ＴＳバッファー回路２００に一時的に格納されたトランスポートストリームのデータ量の増減を検出する。すなわち、データ量検出回路２０８は、予め設定された基準格納データ量（例えば、５１２ＫＢから２ＭＢの範囲で設定される）に対して、ＴＳバッファー回路２００に格納されているトランスポートストリームのデータ量が増加しているか減少しているかを長期に渡り監視して検出する。
【００４１】
すなわち、上述したように、周波数生成回路２０２によって設定された再生レートクロック周波数は、ＰＣＲ抽出回路２０４、ＳＴＣカウンタ２０５、２７ＭＨｚ発信器２０６およびエラー検出回路２０７によって、短期的に発生する再生レートクロック周波数（バイトクロック周波数）の遅延などのエラーを補正する。ところで、特に、２７ＭＨｚ発信器２０６が発振するクロック周波数は、極めて小さな発振誤差を有する可能性がある。このように、２７ＭＨｚ発信器２０６が極めて小さな発振誤差を有している状況においても、ＯＦＤＭ変調装置２内で実行される処理に限れば、再生レートクロック周波数を短期的に補正することによってエラーを補正し、このエラーを補正した再生レートクロック周波数によってＴＳ＿ＦＩＦＯ回路２０３から順次バイト列を送出することができる。
【００４２】
しかし、インターネット回線を介して外部からトランスポートストリームを取得する場合には、２７ＭＨｚ発信器２０６における極めて小さな発振誤差が長期に渡り累積すると、この累積した発振誤差によってＴＳバッファー回路２００のバッファー量を適切に（一定に）維持できなくなる可能性がある。すなわち、発振誤差が累積して、例えば、補正した再生レートクロック周波数が小さくなれば、ＴＳ＿ＦＩＦＯ回路２０３から送出されるバイト列言い換えればデータ量が少なくなり、その結果、ＴＳバッファー回路２００に一時的に格納されるトランスポートストリームのデータ量が増加する。一方、補正した再生レートクロック周波数が大きくなれば、ＴＳ＿ＦＩＦＯ回路２０３から送出されるデータ量が多くなり、その結果、ＴＳバッファー回路２００に一時的に格納されるトランスポートストリームのデータ量が減少する。
【００４３】
このため、データ量検出回路２０８は、長期的にＴＳバッファー回路２００に格納されるトランスポートストリームのデータ量を検出（監視）し、格納されるデータ量が増加する傾向にあるかまたは減少する傾向にあるかを判別する。そして、データ量が増加する傾向または減少する傾向を検出すると、これらの傾向を表す情報を長期増減補正計算回路２０９に出力する。
【００４４】
長期増減補正計算回路２０９は、データ量検出回路２０８による検出結果に基づき、周波数生成回路２０２によって設定されたバイトクロック周波数すなわちトランスポートストリームの再生レートクロック周波数を補正する。すなわち、長期増減補正計算回路２０９は、データ量検出回路２０８の検出結果に基づき、ＴＳバッファー回路２００に一時的に格納されるデータ量が増加する傾向にあれば、例えば、数Ｈｚ単位で再生レートクロック周波数を大きくするための補正周波数を計算する。一方、ＴＳバッファー回路２００に一時的に格納されるデータ量が減少する傾向にあれば、例えば、数Ｈｚ単位で再生レートクロック周波数を小さくするための補正周波数を計算する。そして、長期増減補正計算回路２０９は、計算した補正周波数を周波数生成回路２０２に出力する。これにより、周波数生成回路２０２は、計算された補正周波数に基づき、生成するバイトクロック周波数を大きくしたり、小さくしたりして、再生レートクロック周波数を補正する。
【００４５】
また、ＴＳバッファー回路２００から送出されるトランスポートパケットのデータについて、ＰＡＴ／ＰＭＴ解析部２１０は、トランスポートストリームを構成するＰＡＴ(Program Association Table)パケットおよびＰＭＴ(Program Map Table)パケットであるか否かを解析する。具体的に説明すると、ＰＡＴ／ＰＭＴ解析部２１０は、ＴＳバッファー回路２００から送出されたトランスポートパケットのデータのうちＰＡＴパケットを抽出し、このＰＡＴパケットの識別子としてのＰＩＤ（Packet Identity）が「０」であるか否かを解析する。ここで、ＰＡＴパケットのＰＩＤが「０」ではないパケットは無効なパケットとして扱われる。
【００４６】
そして、ＰＡＴパケットのＰＩＤが「０」であれば、ＰＡＴ／ＰＭＴ解析部２１０は、このＰＡＴパケットに関連するＰＭＴパケットを解析し、このＰＭＴパケットにより表されるプログラムが１セグメント向けのプログラムであるか否かを判定する。そして、ＰＡＴ／ＰＭＴ解析部２１０は、解析したＰＭＴパケットに格納されている映像用トランスポートパケット（データ）のＰＩＤおよび音声用トランスポートパケット（データ）のＰＩＤなどを抽出し、これらＰＩＤをテーブルとしてワンセグレイヤＰＩＤテーブル回路２１１に設定する。
【００４７】
このように、ワンセグレイヤＰＩＤテーブル回路２１１に１セグメント向けのＰＩＤテーブルが設定されると、階層制御回路２１２は、このＰＩＤテーブルに基づいて、ＴＳ＿ＦＩＦＯ回路２０３から順次送出されるバイト列のうち、トランスポートパケットのデータのＰＩＤに相当するバイト列に基づき、テーブルに設定されたＰＩＤと一致する１セグメント向けのトランスポートパケットを判別する。そして、階層制御回路２１２は、１セグメント向けのトランスポートパケットに対応するバイト列がＴＳ＿ＦＩＦＯ回路２０３から順次送出されると、スイッチングにより、これらのバイト列をレイヤＡ＿ＦＩＦＯ回路２１３に格納する。
【００４８】
一方、階層制御回路２１２は、１セグメント向け以外すなわち１２セグメント向けのトランスポートパケットに対応するバイト列がＴＳ＿ＦＩＦＯ回路２０３から順次送出されると、スイッチングにより、これらのバイト列をレイヤＢ＿ＦＩＦＯ回路２１４に格納する。なお、ＴＳ＿ＦＩＦＯ回路２０３から順次送出されるバイト列がＮＵＬＬパケットに相当する場合には、階層制御回路２１２は、無効なパケットとして扱い、レイヤＡ＿ＦＩＦＯ回路２１３およびレイヤＢ＿ＦＩＦＯ回路２１４に対してこれらのバイト列の格納を行わない。
【００４９】
このように、レイヤＡ＿ＦＩＦＯ回路２１３およびレイヤＢ＿ＦＩＦＯ回路２１４にバイト列が格納されると、これらのＦＩＦＯ回路２１３，２１４は、それぞれ、ＯＦＤＭ変調器２１５から、ＯＦＤＭ変調に用いるバイトクロック周波数を取得する。そして、レイヤＡ＿ＦＩＦＯ回路２１３およびレイヤＢ＿ＦＩＦＯ回路２１４は、取得したバイトクロック周波数に基づいて、格納したトランスポートパケットに相当するバイト列をＯＦＤＭ変調器２１５に送出する。
【００５０】
このとき、レイヤＡ＿ＦＩＦＯ回路２１３およびレイヤＢ＿ＦＩＦＯ回路２１４は、取得したバイトクロック周波数に基づいて格納したバイト列によって表されるＰＣＲパケットのＰＣＲ値を補正して送出する。また、レイヤＡ＿ＦＩＦＯ回路２１３およびレイヤＢ＿ＦＩＦＯ回路２１４は、トランスポートパケットに相当するバイト列を格納していなければ、ＯＦＤＭ変調器２１５にＮＵＬＬパケットを送出する。
【００５１】
このように、トランスポートパケットが送出されると、ＯＦＤＭ変調器２１５は、周知のＯＦＤＭ変調方式に従ってトランスポートパケットを直交変調し、１＋１２セグメントの地上デジタルテレビジョン放送信号として送信アンテナ２１６を介して送信する。
【００５２】
以上の説明からの理解できるように、上記実施形態によれば、インターネット回線を介して転送されたトランスポートストリームに含まれるＰＣＲパケットを用いて、転送レート計算回路２０１および周波数生成回路２０２により、放送局Ｈにおけるバイトクロック周波数（再生レートクロック周波数）と同等のバイトクロック周波数（再生レートクロック周波数）を計算することができ、この計算したバイトクロック周波数（再生レートクロック周波数）に基づいてＴＳ＿ＦＩＦＯ回路２０３を作動させることができる。これにより、ＴＳ＿ＦＩＦＯ回路２０３は、放送局Ｈと同等のバイトクロック周波数（再生レートクロック周波数）により、バイト列を送出することができ、その結果、ＴＳバッファー回路２００に一時的に格納したトランスポートストリームを速やかにＴＳ＿ＦＩＦＯ回路２０３に送出することができる。これにより、ＴＳバッファー回路２００におけるバッファー量を一定の範囲内で維持することができる。したがって、インターネット回線を利用することにより、設備コストを大幅に低減し、地上デジタルテレビジョン放送信号をスムーズに再送信できる。
【００５３】
また、ＰＡＴ／ＰＭＴ解析部２１０は、インターネット回線を介して転送されたトランスポートストリームに含まれるＰＡＴパケットおよびＰＭＴパケットを解析して、１セグメント向けのトランスポートパケットを判別することができる。また、階層制御回路２１２は、ＰＡＴ／ＰＭＴ解析部２１０の解析に基づいて設定されるワンセグレイヤＰＩＤテーブル２１１の設定テーブルに基づいて、ＴＳ＿ＦＩＦＯ回路２０３から送出される１セグメント向けのトランスポートパケットに対応するビット列をレイヤＡ＿ＦＩＦＯ回路２１３に格納させることができる。
【００５４】
一方、階層制御回路２１２は、ワンセグレイヤＰＩＤテーブル２１１の設定テーブルに基づいて、ＴＳ＿ＦＩＦＯ回路２０３から送出される１２セグメント向けのトランスポートパケットに対応するビット列をレイヤＢ＿ＦＩＦＯ回路２１４に格納させることができる。これにより、１セグメント向けのトランスポートパケットと１２セグメント向けのトランスポートパケットとを合わせて、最終的に１＋１２セグメント方式の地上デジタルテレビジョン放送信号を送信することができる。また、事前に設定したテーブルを用いて、１セグメント向けのトランスポートパケットと１２セグメント向けのトランスポートパケットとをリアルタイムで分離できるため、１＋１２セグメント方式の地上デジタルテレビジョン放送信号をスムーズに再送信できる。
【００５５】
本発明の実施にあたっては、上記実施形態に限定されるものではなく、本発明の目的を逸脱しない限りにおいて、種々の変更が可能である。
【００５６】
例えば、上記実施形態においては、２つのＰＣＲパケットを含むトランスポートストリームをＴＳバッファー回路２００に一時的に格納するようにした。そして、転送レート計算回路２０１がＴＳバッファー回路２００に格納された２つのＰＣＲパケット間に存在するバイト数に基づき転送レートを計算するように実施した。しかし、トランスポートストリームがＴＳバッファー回路２００に連続して格納される状況であれば、トランスポートストリームに少なくとも１つのＰＣＲパケットが含まれていればよいし、あるいは、所定のトランスポートストリームごとにＰＣＲパケットが含まれていればよい。
【００５７】
この場合には、転送レート計算回路２０１は、ＴＳバッファー回路２００に格納されたトランスポートストリームからＰＣＲパケットを検出する。そして、転送レート計算回路２０１は、順次連続してＴＳバッファー回路２００に格納されるトランスポートストリームから次のＰＣＲパケットを検出する。これにより、転送レート計算回路２０１が、検出した２つのＰＣＲパケット間に存在する全バイト数を用いて転送レートを計算することにより、周波数生成回路２０２は、放送局Ｈにおけるバイトクロック周波数（再生レートクロック周波数）と同等のバイトクロック周波数（再生レートクロック周波数）を生成して設定することができる。したがって、上記実施形態と同様の効果が得られる。
【００５８】
また、上記実施形態においては、デジタル放送信号再送信装置Ｓが放送局Ｈから電波として送信された地上デジタル放送信号を受信する受信装置１を備えるように実施した。しかし、放送局Ｈが、図１にて破線で示すように、トランスポートストリームを所定のブロック単位でインターネット回線に送出する場合には、受信装置１を省略して、ＯＦＤＭ変調装置２がインターネット回線を介して放送局Ｈから送出されたトランスポートストリームを直接取得するように実施することも可能である。この場合においても、放送局Ｈからトランスポートストリームがインターネット回線を介して送出されるため、上記実施形態と同様の効果が得られる。
【００５９】
さらに、上記実施形態においては、地上デジタルテレビジョン放送の放送信号をインターネット回線を介して転送して実施した。しかし、例えば、ＢＳデジタルテレビジョン放送の放送信号をインターネット回線を介して転送するようにしてもよいし、ＣＳデジタルテレビジョン放送の放送信号をインターネット回線を介して転送するようにしてもよい。この場合においても、上記実施形態と同様に、デジタル放送信号をスムーズにかつ安価に再送信することができる。
【図面の簡単な説明】
【００６０】
【図１】本発明の実施形態に係るデジタル放送信号再送信装置の概略を説明するための図である。
【図２】図１のＯＦＤＭ変調装置の構成を概略的に示すブロック図である。
【符号の説明】
【００６１】
１…受信装置、２…ＯＦＤＭ変調装置、２００…ＴＳバッファー回路、２０１…転送レート計算回路、２０２…周波数生成回路、２０３…ＴＳ＿ＦＩＦＯ回路、２０４…ＰＣＲ抽出回路、２０５…ＳＴＣカウンタ、２０６…２７ＭＨｚ発信器、２０７…エラー検出回路、２０８…データ量検出回路、２０９…長期増減補正計算回路、２１０…ＰＡＴ／ＰＭＴ解析部、２１１…ワンセグレイヤＰＩＤテーブル回路、２１２…階層制御回路、２１３…レイヤＡ＿ＦＩＦＯ回路、２１４…レイヤＢ＿ＦＩＦＯ回路、２１５…ＯＦＤＭ変調器、２１６…送信アンテナ、Ｓ…デジタル放送信号再送信装置
【図１】
2008244704.tif 000003
【図２】
2008244704.tif 000004